(57)【要約】【課題】洪水時、店舗、住宅、ビル等の浸水を防ぐ、機構が簡単で、容易に設置でき、安価な手動式の防水板を提供する。【解決手段】防水板本体の下部両端に旋回中心を、上部両端に固定装置（錠等）を設け、柱と分離できる構造としておく。まず、防水板本体をパッキングの反力を受けない様に、３０度程度傾けて旋回中心を設定し、次に垂直（０度）まで押すことによりパッキングに均一な力を加えられる。防水板本体の上部両端の固定装置（錠等）で固定する。てこの力を使っているので、パッキングの巨大な押圧力を必要とせず、容易に設置でき、確実に、防水（止水）することができるのを特徴とする。防水板が不要な時は、上記の反対の動作で、簡単にはずすことができる。【選択図】  図４
2012087465.tif 000002
【特許請求の範囲】
【請求項１】
本体の下部両端に旋回中心を、上部両端に固定装置（錠等）を設けて、まず本体を３０度程度傾けて旋回中心を設定し、次に本体が垂直（０度）になるまで本体上部を押して旋回させ、固定装置で設置でき、建築物の開口部に着脱できることを特徴とした防水板。
【発明の詳細な説明】
【技術分野】
【０００１】
本発明は、洪水時、扉の枠の下部に取り付けて屋内への浸水を防ぐ、防水板（止水板）に関するものである。
【０００２】
防水板（止水板）の類は、多種多様におよび、大きな物は防潮壁の様に、高さ２メートル、長さ１０メートル程あり、小さな物は田に水を入れたり止めたりする為の、３０センチメートル角程のベニヤ板まで、さまざまである。
【０００３】
作動方法も、機械式の物、手動式の物、半自動の物と色々あり、方式も左右に動く物、上下に動く物、旋回する物とさまざまである。
【０００４】
これらの防水板の中で、比較的小さい、高さ５０センチメートル長さ２メートルくらいまでの手動で設置するものに関して記す。
【背景技術】
【０００５】
図１の様に、入り口の柱５の内側に、縦パッキング３付のレールを設け、上から防水板本体１を差し込み、上側や前側からネジで固定する物や、図２の様に柱５の前側に縦パッキング３を取り付け、防水板本体１を前側からネジで固定する物が多い。
【０００６】
これらの場合、上から下への方向、又は、前から後ろへの方向のどちらかにしか、ネジによる力が加わらない為、使用時水漏れする。
【０００７】
又、ネジの調整が難しく、設置に時間がかかる。
【０００８】
例えば、図２で縦パッキング３の高さを４０センチメートル、防水板本体１の長さを２００センチメートルとすると、止水する為のパッキングへの押付力は、０．３５キログラム／平方センチメートル程である。これはゴムパッキングでもウレタンスポンジパッキングでもほぼ同じある。
【０００９】
パッキングの巾を１．５センチメートルとすると、図２で防水板を下へ押す力（ＦＷ）は、ＦＷ＝（０．３５キログラム／平方センチメートル）×２００センチメートル×１．５センチメートル＝１０５ｋｇｆ、防水板を後ろへ押す力（ＦＸ）は、ＦＸ＝（０．３５キログラム／平方センチメートル）×４０センチメートル×１．５センチメートル×２＝４２ｋｇｆ必要である。
【００１０】
防水板本体１が１００キログラム以上の重量があれば良いが、手動で設置する防水板本体１は通常３０キログラム以下である。
【００１１】
又、下へ押す力、ＦＷ＝１０５ｋｇｆと後ろへ押す力、ＦＸ＝４２ｋｇｆを同時にかけないといけない。これは、先にどちらかの力をかけてしまうと、後にかけた力によって先にかけたパッキングがよじれてしまい、機能しなくなるからである。
【００１２】
よって、下へ押す力ＦＷと後へ押す力ＦＸを徐々に均等にかけていかなければならないので、非常に困難である。
【００１３】
多く見られる製品は、下へ押す力ＦＷを無視して防水板本体の重量のみでまかなおうとしている為、使用時、必ず防水板の下側から水漏れする。
【先行技術文献】
【特許文献】
【００１４】
【特許文献１】特開２００７−２９１６１６
【特許文献２】特開２００７−２１７９９３
【特許文献３】特開２００７−１２００８１
【特許文献４】特開２００６−２０７１７７
【特許文献５】特開２００５−３５１０１１
【特許文献６】特開２００５−１２０７６８
【特許文献７】特開２００４−２１８４１５
【特許文献８】特開２００３−３２１９８０
【特許文献９】特開２００２−１８９１４６
【特許文献１０】特開平０７−２４７７６６
【発明の概要】
【発明が解決しようとする課題】
【００１５】
手動で設置する防水板において、力もほとんどいらず、簡単に設置でき、且つ、水密性の高い防水板を提供する。
【課題を解決するための手段】
【００１６】
図３（ｂ）の様に、防水板本体１の下側に下パッキング２を、防水板本体１の両端後側に縦パッキング３を設けた手動設置式の防水板において、防水板本体１の下部両端に旋回中心４を設け、この旋回中心４と防水板本体１が分離できることを特徴とする。
【００１７】
図３（ａ）の様に、防水板本体１を少し傾け、両端にある旋回中心４を設定する。
【００１８】
次に、防水板本体１の上部中央を後側に押すと、旋回し、図３（ｂ）の様に設定でき、上部のクレセント６等の錠１０で固定すれば、設置できる。
【発明の効果】
【００１９】
通常の手動設置防水板は、［０００９］でも述べたように、下側にＦＷ＝１０５ｋｇｆ、柱側にＦＸ＝４２ｋｇｆ、合計Ｆ＝ＦＷ＋ＦＸ＝１４７ｋｇｆの力を均等に加えなければならない。ネジ等で助力できても調整が非常に難しい。
【００２０】
本発明では、図３（ｂ）の様に、下パッキング２と旋回中心４との距離を４センチメートルとすると、下パッキング２へは、１／１０、縦パッキング３には、１／２の力で良いので、ＦＲＷ＝１０５ｋｇｆ／１０＝１０．５ｋｇｆ、ＦＲＸ＝４２ｋｇｆ／＝２１ｋｇｆ、ＦＲ＝ＦＲＷ＋ＦＲＸ＝３１．５ｋｇｆで設置できる。
【００２１】
通常、Ｆ≒１５０ｋｇｆ近くの力を必要とするのを、ＦＲ＝３１．５ｋｇｆで良いので容易に設置できる。
【００２２】
又、柱５と旋回中心４と錠１０の位置で、パッキングのシメシロが決まるので、調整する必要が無い。
【００２３】
防水板本体１を取り外す時は、設置時と反対に、防水板本体１の上部の錠１０をはずし、図３（ａ）の様に少し傾け、旋回軸４をはずせば、簡単に取り外すことができる。
【００２４】
本発明は、防水板本体１を少し傾けた状態で旋回軸４にセットすることを特徴とし、又、はずす時は旋回軸４と分離することを特徴とする簡単な構造で、かつ、あまり力を必要とせず、容易に防水板本体１を設置でき、水密性が高い。
図３（ａ）から解るように、防水板本体１を少し傾けた状態にすると、パッキングからの反力を受けず、旋回中心４を作り易い。
【図面の簡単な説明】
【００２５】
【図１】従来技術の例を示す斜視図。
【図２】従来技術の例を示す斜視図。
【図３】本発明の構成を示す断面図。
【図４】本発明の実施例を示す斜視図。（実施例１）
【図５】旋回中心を示す詳細図。
【図６】本発明の実施例を示す斜視図。（実施例２）
【図７】本発明の実施例を示す部品の説明図。（実施例２）
【図８】本発明の実施例を示す部品の説明図。（実施例２）
【図９】本発明の実施例を示す部品の説明図。（実施例２）
【図１０】本発明の実施例を示す平面図。（実施例３）
【図１１】本発明の実施例を示す断面図。（実施例３）
【発明を実施するための形態】
【００２６】
本発明の実施例を添付図面に基づいて詳細に説明する。
【実施例１】
【００２７】
図４の様に、出入口のアルミサッシ等の柱５の下部に、旋回中心４となる支持金具ピン８を両側に設け、防水板本体１を少し傾けた状態（２点鎖線）で、支持金具ピン８にハメ込まれる様なガイド金具９を、防水板本体１の両端に設ける。
【００２８】
図４の様に、防水板本体１の下側に、下パッキング２を、後ろ、両側に縦パッキング３を設け、上部両側にクレセント６等の錠１０を設ける。
【００２９】
防水板本体１使用時は、図５の様に、まず、防水板本体１を少し（３０度程度）傾けて、ガイド金具９を支持金具ピン８に引っ掛ける。３０度程度傾けると、パッキングの反力を受けないので、簡単に引っ掛けることができる。
【００３０】
次に、支持金具ピン８が旋回中心４となる様に、防水板本体１の上部を手で後へ押して旋回させる。
【００３１】
最後にクレセント６等の錠１０で固定すれば、下パッキング２も、縦パッキング３も、充分な力で平均に押さえつけることができ、水密性が高い。
【００３２】
防水板を取り外す時は、今までの逆の動作をすれば容易にはずせる。
【００３３】
尚、支持金具ピン８とガイド金具９が、クレセント６とクレセント受７が、各々、入れ替わった構造であっても良い。又、縦パッキング３や下パッキング２を防水板本体１側でなく、柱５側に設けても良い。
【実施例２】
【００３４】
図６は、防水板本体１に、支持金具ピン８の替わりに、抜差ピン１１を設けた例で、ガイド金具９を図６の様な形にして、その穴に抜差ピン１１を差込んで、旋回中心４を形成するものである。
【００３５】
これも、実施例１と同様に、防水板本体１を少し（３０度程度）傾けて抜差ピン１１を差込んだり抜いたりすれば、下パッキング２や縦パッキング３の反力を受けないので、容易に旋回中心４を形成することができる。
【００３６】
抜差ピン１１の替わりに、市販されている図７（ａ）プッシュボルトや、（ｂ）サーバーラックヒンジを、又、抜差ピン１１とガイド金具９の替わりに、図８（ａ）抜差し蝶番や、（ｂ）中開き蝶番を利用することができる。
【００３７】
又、防水板本体１の上部の、錠１０は図４の様に、クレセント６でも良いが、市販されている図８（ａ）ラッチ錠や、（ｂ）キャッチクリップを使用してもかまわない。
【実施例３】
【００３８】
図１０は、実施例２を家庭用の玄関ドア１２のアルミサッシ１３部に、設置したものである。（平面図）
【００３９】
通常、玄関ドア１２は外開きで、アルミサッシ１３の断面形状は図１０の様に凸形をしている。本発明のハメ込式防水板は、玄関ドア１２と反対側のアルミサッシ１３の内側に設置できる。
【００４０】
前述の様に、防水板本体１の高さは５０センチメートルくらいまでで、玄関ドア１２が外開きの場合は、屋内側に設置しなければならない。これは、洪水時、玄関ドア１２を開ければ、防水板本体１をまたいで人が出入りできる為である。
【００４１】
店舗等、自動扉の時はそのレールが屋内側にあるので、防水板本体１は屋外側に設置することになる。
【００４２】
シメシロの多い、ウレタンスポンジ等の縦パッキング３を使用すると、図１１（ａ）の様に、縦パッキング３の最下部が柱５に干渉するので（ハッチング部）、めくれあがる可能性がある。
【００４３】
よって、縦パッキング３の最下部を、図１０（ｂ）の様にカットし、柱５の最下部と床の間にサブパッキング１４を施すと良い。
【産業上の利用可能性】
【００４４】
近年、都市型豪雨が多く、店舗、住宅、ビル等で浸水することが多い。
【００４５】
浸水すると、その被害は、意外に大きい。
【００４６】
本発明のハメ込式防水板は、機構が簡単なので、安価で、容易に設置でき、浸水を確実に防ぐことができる。
【符号の説明】
【００４７】
１    防水板本体
２    下パッキング
３    縦パッキング
４    旋回中心（旋回軸）
５    柱
６    クレセント
７    クレセント受
８    支持金具ピン
９    ガイド金具
１０  錠
１１  抜差ピン
１２  玄関ドア
１３  アルミサッシ
１４  サブパッキング
【図１】
2012087465.tif 000003
【図２】
2012087465.tif 000004
【図３】
2012087465.tif 000005
【図４】
2012087465.tif 000006
【図５】
2012087465.tif 000007
【図６】
2012087465.tif 000008
【図１０】
2012087465.tif 000009
【図１１】
2012087465.tif 000010
【図７】
2012087465.tif 000011
【図８】
2012087465.tif 000012
【図９】
2012087465.tif 000013